(57)【要約】【課題】主に、車体に対するヘッドアップディスプレイ装置の位置決めを行い得るようにする。【解決手段】車体１２に搭載されるインストルメントパネル１１に、取付ブラケット２２を介して、ヘッドアップディスプレイ装置２１が取付けられたヘッドアップディスプレイ取付部構造において、車体１２と取付ブラケット２２との間に、車体１２に対するヘッドアップディスプレイ装置２１の位置決めが可能な、対車体用位置決部３１を設けるようにしている。【選択図】図１
2009001149.tif 000002
【特許請求の範囲】
【請求項１】
車体に搭載されるインストルメントパネルに、取付ブラケットを介して、ヘッドアップディスプレイ装置が取付けられたヘッドアップディスプレイ取付部構造において、
車体と取付ブラケットとの間に、車体に対するヘッドアップディスプレイ装置の位置決めが可能な、対車体用位置決部を設けたことを特徴とするヘッドアップディスプレイ取付部構造。
【請求項２】
前記対車体用位置決部が、車体と、取付ブラケットの先端部との間に設けられた、インストルメントパネルの搭載方向へ延びる位置決ピンと、該位置決ピンと対応する位置決孔とを備えたことを特徴とする請求項１記載のヘッドアップディスプレイ取付部構造。
【発明の詳細な説明】
【技術分野】
【０００１】
この発明は、ヘッドアップディスプレイ取付部構造に関するものである。
【背景技術】
【０００２】
自動車などの車両には、車室内の前部にインストルメントパネルが設けられている（例えば、特許文献１参照）。
【０００３】
例えば、図５は、インストルメントパネル１を示しており、このインストルメントパネル１は、車体２に対し、その前縁部３における、車幅方向４の中央部と両端部近傍との３箇所の位置などで位置決めが行われるようにしている（位置決部５，６）。
【０００４】
そして、このようなインストルメントパネルに対し、ヘッドアップディスプレイ装置を備えたものが存在している（例えば、特許文献２参照）。
【０００５】
このようなヘッドアップディスプレイ装置は、特に図示しないが、車体に搭載されるインストルメントパネルに、取付ブラケットを介して取付けられている。
【特許文献１】特許第３０６０７６２号
【特許文献２】特開平８−９１０９４号公報
【発明の開示】
【発明が解決しようとする課題】
【０００６】
しかしながら、ヘッドアップディスプレイ装置を、取付ブラケットを介して、インストルメントパネルに取付けるようにした場合、車体に対するインストルメントパネルの取付精度が充分ではないため、取付ブラケットの周辺部分などに、車体に対するヘッドアップディスプレイ装置の位置調整が可能な位置調整機構を設ける必要が生じていた。
【課題を解決するための手段】
【０００７】
上記課題を解決するために、請求項１に記載された発明では、車体に搭載されるインストルメントパネルに、取付ブラケットを介して、ヘッドアップディスプレイ装置が取付けられたヘッドアップディスプレイ取付部構造において、車体と取付ブラケットとの間に、車体に対するヘッドアップディスプレイ装置の位置決めが可能な、対車体用位置決部を設けたことを特徴としている。
【０００８】
請求項２に記載された発明では、前記対車体用位置決部が、車体と、取付ブラケットの先端部との間に設けられた、インストルメントパネルの搭載方向へ延びる位置決ピンと、該位置決ピンと対応する位置決孔とを備えた請求項１記載のヘッドアップディスプレイ取付部構造を特徴としている。
【発明の効果】
【０００９】
請求項１の発明によれば、車体に搭載されるインストルメントパネルに、取付ブラケットを介して、ヘッドアップディスプレイ装置が取付けられたヘッドアップディスプレイ取付部構造において、車体と取付ブラケットとの間に、車体に対するヘッドアップディスプレイ装置の位置決めが可能な、対車体用位置決部を設けたことにより、以下のような作用効果を得ることができる。即ち、インストルメントパネルに、取付ブラケットを介して、ヘッドアップディスプレイ装置を取付けた状態で、車体にインストルメントパネルを搭載すると、対車体用位置決部によって、車体に対するヘッドアップディスプレイ装置の位置決めが自動的に行われる。これにより、車体に対するヘッドアップディスプレイ装置の位置調整機構を設ける必要をなくすと共に、ヘッドアップディスプレイ装置に対する位置決作業を不要化することが可能となる。
【００１０】
請求項２の発明によれば、前記対車体用位置決部が、車体と、取付ブラケットの先端部との間に設けられた、インストルメントパネルの搭載方向へ延びる位置決ピンと、該位置決ピンと対応する位置決孔とを備えたことにより、以下のような作用効果を得ることができる。即ち、車体にインストルメントパネルを搭載する際に、インストルメントパネルの搭載方向へ延びる位置決ピンに、位置決孔が嵌合されることによって、簡単且つ確実に車体に対するヘッドアップディスプレイ装置の位置決めを行わせることができる。
【発明を実施するための最良の形態】
【００１１】
以下、本発明を具体化した実施例について、図示例と共に説明する。
【実施例】
【００１２】
図１〜図４は、この発明の実施例を示すものである。
【００１３】
まず、構成について説明する。
【００１４】
自動車などの車両には、車室の前部にフロントウインドウガラス１０（図２参照。以下同様）が設けられている。このフロントウインドウガラス１０の下部には、インストルメントパネル１１が設けられている。
【００１５】
このようなインストルメントパネル１１は、図１に示すように、車体１２に対し、その前縁部１３における、車幅方向１４の中央部と両端部近傍との３箇所の位置などで位置決めが行われるようにしている（位置決部１５，１６）。
【００１６】
これらの位置決部１５，１６は、車体１２と、インストルメントパネル１１との間に設けられた、インストルメントパネル１１の搭載方向１７へ延びる位置決ピン１８と、この位置決ピン１８と対応する位置決孔１９とを、それぞれ備えている。
【００１７】
この場合には、位置決ピン１８が車体１２に設けられると共に、位置決孔１９がインストルメントパネル１１に設けられている。但し、位置決ピン１８と位置決孔１９とは、逆であっても良い。位置決ピン１８は、位置決孔１９への挿入し易さを考慮して、先細形状などとする。また、車体１２は、車室とエンジンルームとを仕切るダッシュパネルなどとされている。
【００１８】
そして、このようなインストルメントパネル１１に対し、ヘッドアップディスプレイ装置２１を備えるようにする。ヘッドアップディスプレイ装置２１は、通常、インストルメントパネル１１の運転席側の部分に設置される。
【００１９】
このようなヘッドアップディスプレイ装置２１は、車体１２に搭載されるインストルメントパネル１１に、図２〜図４に示すように、取付ブラケット２２を介して取付けられている。
【００２０】
この取付けのために、インストルメントパネル１１下面側の前縁部１３近傍部分には取付座２３が設けられ、この取付座２３に対して、取付ブラケット２２がほぼ下方からネジ止めされる（ネジ止部２４）。そして、この取付ブラケット２２に対して、ヘッドアップディスプレイ装置２１がほぼ下方からネジ止めされる（ネジ止部２５）。ネジ止部２４およびネジ止部２５は、例えば、ネジ孔およびネジなどで構成される。
【００２１】
この場合、取付座２３は、インストルメントパネル１１の下面から下方へ突設された、ほぼ箱型形状を呈している。また、取付ブラケット２２は、取付座２３に対して下方から外嵌可能な、正面視ほぼ上向きコ字断面形状を呈している。そして、ヘッドアップディスプレイ装置２１の対応する側部からは、取付ブラケット２２の下面の対応する位置に当接配置可能なネジ止片２１ａが突設されている。
【００２２】
また、ヘッドアップディスプレイ装置２１に供するために、図２に示すように、インストルメントパネル１１の対応する位置には、開口部２７が設けられている。
【００２３】
そして、上記した取付座２３および取付ブラケット２２は、開口部２７の両側部に対し、左右一対ずつ設けられる。左右の取付ブラケット２２は、インストルメントパネル１１の下面に当接配置可能な連結板部２９によって連結されると共に、連結板部２９には、開口部２７と対応する開口部３０が形成されている。
【００２４】
ヘッドアップディスプレイ装置２１の開口部２７、３０と対応する位置には、液晶パネルなどの表示装置２１ｂが設けられている。また、フロントウインドウガラス１０の対応する位置には、画像表示位置となる黒プリント部２８（図２参照。以下同様）が設けられている。
【００２５】
このような構成では、車体１２に対するインストルメントパネル１１の取付精度が充分ではないため、車体１２に対するヘッドアップディスプレイ装置２１の位置調整を行うことが必要となる。
【００２６】
そこで、以上のような基本構成に対し、この実施例のものでは、車体１２と取付ブラケット２２との間に、車体１２に対するヘッドアップディスプレイ装置２１の位置決めが可能な、対車体用位置決部３１を設けるようにする。
【００２７】
この対車体用位置決部３１は、車体１２と、取付ブラケット２２の先端部との間に設けられた、インストルメントパネル１１の搭載方向１７へ延びる位置決ピン３２と、この位置決ピン３２と対応する位置決孔３３とを備えるようにする。
【００２８】
この場合には、位置決ピン３２が車体１２に設けられると共に、位置決孔３３が取付ブラケット２２の先端部に設けられるようにしている。但し、位置決ピン３２と位置決孔３３は、逆であっても良い。
【００２９】
この際、位置決ピン３２は、位置決孔３３への挿入し易さを考慮して、先細形状などとする。各取付ブラケット２２の先端側に、インストルメントパネル１１の前縁部１３近傍部分などの裏面に沿って、車体１２に達する長さおよび形状の延長部３４を設けるようにする。そして、この延長部３４の先端部に対して、位置決孔３３を設けるようにする。
【００３０】
また、対車体用位置決部３１を構成する位置決ピン３２と位置決孔３３とは、専用のものとすることもできるが、図１に示すように、位置決部１６を構成する位置決ピン１８および位置決孔１９と共用させるようにすることもできる。この場合には、一方（外側）の位置決ピン３２および位置決孔３３を、位置決ピン１８および位置決孔１９と共用させることによって、構成の簡略化を図っている。
【００３１】
次に、この実施例の作用について説明する。
【００３２】
ヘッドアップディスプレイ装置２１では、表示装置２１ｂの画像は、開口部２７、３０を通して、黒プリント部２８に投影される。乗員は、黒プリント部２８に投影された画像を、視認することになる。
【００３３】
そして、車体１２に対するインストルメントパネル１１の取付精度が、充分でない場合、黒プリント部２８に対する表示装置２１ｂの画像の投影位置がズレることとなる。
【００３４】
そこで、組付時に、車体１２に対するヘッドアップディスプレイ装置２１の位置調整（黒プリント部２８に対する表示装置２１ｂの画像の投影位置の調整）を行うことが必要となる。
【００３５】
この実施例の場合、インストルメントパネル１１に対して、ヘッドアップディスプレイ装置２１は、予め、取付ブラケット２２を介して取付けられる。
【００３６】
そして、ヘッドアップディスプレイ装置２１が予め取付けられたインストルメントパネル１１は、搭載方向１７に沿って、車体１２に組付けられる。
【００３７】
すると、インストルメントパネル１１は、位置決部１５，１６によって、車体１２に対して位置決めされる。
【００３８】
この時、同時に、ヘッドアップディスプレイ装置２１は、対車体用位置決部３１によって、インストルメントパネル１１に対して位置決めされることになる。
【００３９】
このように、この実施例によれば、車体１２に搭載されるインストルメントパネル１１に、取付ブラケット２２を介して、ヘッドアップディスプレイ装置２１が取付けられたヘッドアップディスプレイ取付部構造において、車体１２と取付ブラケット２２との間に、車体１２に対するヘッドアップディスプレイ装置２１の位置決めが可能な、対車体用位置決部３１を設けたことにより、以下のような作用効果を得ることができる。
【００４０】
即ち、インストルメントパネル１１に、取付ブラケット２２を介して、ヘッドアップディスプレイ装置２１を取付けた状態で、車体１２にインストルメントパネル１１を搭載すると、対車体用位置決部３１によって、車体１２に対するヘッドアップディスプレイ装置２１の位置決めが自動的に行われる。これにより、車体１２に対するヘッドアップディスプレイ装置２１の位置調整機構を設ける必要をなくすと共に、ヘッドアップディスプレイ装置２１に対する位置決作業を不要化することが可能となる。
【００４１】
また、対車体用位置決部３１が、車体１２と、取付ブラケット２２の先端部との間に設けられた、インストルメントパネル１１の搭載方向１７へ延びる位置決ピン３２と、位置決ピン３２と対応する位置決孔３３とを備えたことにより、以下のような作用効果を得ることができる。
【００４２】
即ち、車体１２にインストルメントパネル１１を搭載する際に、インストルメントパネル１１の搭載方向１７へ延びる位置決ピン３２に、位置決孔３３が嵌合されることによって、簡単且つ確実に車体１２に対するヘッドアップディスプレイ装置２１の位置決めを行わせることができる。
【００４３】
以上、この発明の実施例を図面により詳述してきたが、実施例はこの発明の例示にしか過ぎないものであるため、この発明は実施例の構成にのみ限定されるものではなく、この発明の要旨を逸脱しない範囲の設計の変更等があってもこの発明に含まれることは勿論である。また、例えば、各実施例に複数の構成が含まれている場合には、特に記載がなくとも、これらの構成の可能な組合せが含まれることは勿論である。また、複数の実施例や変形例が示されている場合には、特に記載がなくとも、これらに跨がった構成の組合せのうちの可能なものが含まれることは勿論である。また、図面に描かれている構成については、特に記載がなくとも、含まれることは勿論である。
【図面の簡単な説明】
【００４４】
【図１】本発明の実施例にかかるヘッドアップディスプレイ取付部構造を備えたインストルメントパネルの平面図である。
【図２】図１のヘッドアップディスプレイ取付部構造部分の側方断面図である。
【図３】図２を後方で且つ下方から見た分解斜視図である。
【図４】図２を前方で且つ上方から見た分解斜視図である。
【図５】従来例にかかるインストルメントパネルの平面図である。
【符号の説明】
【００４５】
１１  インストルメントパネル
１２  車体
１７  搭載方向
２１  ヘッドアップディスプレイ装置
２２  取付ブラケット
３１  対車体用位置決部
３２  位置決ピン
３３  位置決孔
【図１】
2009001149.tif 000003
【図２】
2009001149.tif 000004
【図３】
2009001149.tif 000005
【図４】
2009001149.tif 000006
【図５】
2009001149.tif 000007